(57)【要約】シャックルに関し、一側が開放されて形成された両端部に孔がそれぞれ貫通形成され、他側が閉鎖されながら引揚リングを形成し、前記引揚リング上に補助引揚リングが付加形成されるシャックル胴体と、および前記シャックル胴体の一側に形成された孔に順次貫通しながら螺旋締結されるシャックルピンを含む。本発明によると、シャックル胴体に引揚リングとは別途に補助引揚リングを付加形成して強度の補強とともに引揚リングの両端部が内側方向に変形されることを防止し、引揚リングと補助引揚リングにロープなどを連結するとき、多数の地点に接した状態で連結するので、シャックルの揺れを最小化し、弾性力またはボルトなどを介してシャックルピンの緩みを防止し、シャックル胴体の両端部のうちシャックルピンの先端が先に挿入される側の端部が拡張形成されて補強による引張強度の向上が可能な効果がある。【選択図】図３
2019509233.tif 000002
【特許請求の範囲】
【請求項１】
一側が開放されて形成された両端部に孔がそれぞれ貫通形成され、他側が閉鎖されながら引揚リングを形成し、前記引揚リング上に補助引揚リングが付加形成されるシャックル胴体と、
前記シャックル胴体の一側に形成された孔に順次貫通しながら螺旋締結されるシャックルピンを含む
ことを特徴とするシャックル。
【請求項２】
前記シャックル胴体の両端部のうちいずれか一方の端部が他の一方の端部に比べて断面積が大きくなるように拡張形成される
請求項１に記載のシャックル。
【請求項３】
前記シャックル胴体の両端部で前記シャックルピンの先端が先に挿入される側の端部が拡張形成される
請求項２に記載のシャックル。
【請求項４】
前記シャックルピンの外周面に挿入されて前記シャックルピンが前記シャックル胴体の孔に締結されるとき、前記シャックルピンに挿入反対方向に弾性力を発生させて緩みを防止する弾性体をさらに含む
請求項１に記載のシャックル。
【請求項５】
前記シャックルピンのフランジ上に前記シャックル胴体の一側端部外壁に形成された溝部内に位置するように固定させる緩み止め部材をさらに含む
請求項１に記載のシャックル。
【請求項６】
前記緩み止め部材の前方に前記シャックル胴体の一側端部外壁に形成された溝部内に位置されながら弾性部材により支持された補助緩み止め部材がさらに備えられる
請求項５に記載のシャックル。
【請求項７】
前記引揚リングと前記補助引揚リングにロープがかかるとき、前記引揚リングの下端に巻かれた前記ロープの両方端部が前記補助引揚リングに平行に触れさせたり、前記引揚リングの下端に巻かれた前記ロープの両方端部が前記引揚リングと前記補助引揚リングとの間で交差した後、前記補助引揚リングに触れさせる
請求項１に記載のシャックル。
【発明の詳細な説明】
【技術分野】
【０００１】
本発明は、シャックルに関し、より詳しくは、建物の工事現場や船舶の製造現場などで高重量の被引揚体を円滑に引揚げるために被引揚体に連結して使用されるシャックルに関する。
【背景技術】
【０００２】
建設産業の傾向に応じた大型建築物の建設過程において、基礎を成す鉄骨工事が最も重要な工程と認識されている。鉄骨工事は、大型建築物の建築過程で必須的な工事であって、建物の骨組みを成す過程であり、このような鉄骨工事の基本作業は、現場に設けられたタワークレーンで各種の鉄工構造物を引揚、作業者によって組み立てながら上がるものである。
【０００３】
このように、各種鉄工構造物とギャングフォームおよび船舶部品など人力で移動したり引揚難い被引揚体はクレーンを使用して引揚られるが、クレーンにはフックが備えられ、物品にはシャックルが備えられて前記フックをシャックルに連結して被引揚体を引揚げる。
【０００４】
これらのシャックルに関する技術が特許文献１に提案されている。
以下、従来技術として特許文献１に開示された結合および分解が容易なシャックルを簡単に説明する。
図１は、特許文献１（以下、「従来技術」という）で結合および分解が容易なシャックルの斜視図である。
図１に示すように、従来技術の結合および分解が容易なシャックルは、両端の側面が所定の間隔を置いて相対して形成されるシャックル胴体１００と、前記シャックル胴体１００の両端の側面に形成された貫通孔１２０を貫通して前記シャックル胴体１００と結合されるシャックルピン２００と、前記シャックルピン２００の一端に形成された挿入孔２４４を貫通して結合する安全ピン３００と、を含み、前記安全ピン３００は前記シャックル胴体１００の外側で前記シャックルピン２００と垂直に結合することを特徴とする結合および分解が容易なシャックル１０を提供する。
【０００５】
しかし、従来技術による結合および分解が容易なシャックルは、クレーンのフックと高重量の被引揚体とをシャックルで相互連結する過程でシャックル胴体１００に荷重が集中されて前記シャックル胴体１００が破損したり、変形される問題があった。
【先行技術文献】
【特許文献】
【０００６】
【特許文献１】大韓民国公開特許第１０−２０１２−０１３１８８２号公報
【発明の開示】
【発明が解決しようとする課題】
【０００７】
本発明は、上記のような問題点を解決するために案出されたものであって、シャックル胴体に引揚リングとは別途に補助引揚リングを付加形成して強度の補強とともに引揚リングの両端部が内側方向に変形されることを防止し、引揚リングと補助引揚リングにロープなどを連結するとき、多数の地点に接した状態で連結するので、シャックルの揺れを最小化し、弾性力またはボルトなどを介してシャックルピンの緩みを防止し、シャックル胴体の両端部のうちシャックルピンの先端が先に挿入される側の端部が拡張形成されて補強による引張強度の向上が可能なシャックルを提供することを目的とする。
【課題を解決するための手段】
【０００８】
上記のような目的を達成するために、本発明は、一側が開放されて形成された両端部に孔がそれぞれ貫通形成され、他側が閉鎖されながら引揚リングを形成し、前記引揚リング上に補助引揚リングが付加形成されるシャックル胴体と、および前記シャックル胴体の一側に形成された孔に順次貫通しながら螺旋締結されるシャックルピンを含むシャックルを介して施される。
【０００９】
一方、前記シャックル胴体の両端部のうちいずれか一方の端部が他の一方の端部に比べて断面積が大きくなるように拡張形成されることができる。
【００１０】
この時、前記シャックル胴体の両端部で前記シャックルピンの先端が先に挿入される側の端部が拡張形成されることができる。
【００１１】
さらに、前記補助引揚リングは、前記引揚リングに着脱可能なことを特徴とする。
【００１２】
また、前記シャックルピンの外周面に挿入されて前記シャックルピンが前記シャックル胴体の孔に締結されるとき、前記シャックルピンに挿入反対方向に弾性力を発生させて緩みを防止する弾性体をさらに含むことができる。
【００１３】
そして、前記シャックルピンのフランジ上に前記シャックル胴体の一側端部の外壁に形成された溝部内に位置するように固定させる緩み止め部材をさらに含むことができる。
【００１４】
ここで、前記緩み止め部材の前方に前記シャックル胴体の一側端部外壁に形成された溝部内に位置されながら弾性部材によって支持された補助緩み止め部材がさらに備えられる。
【００１５】
特に、前記引揚リングと前記補助引揚リングにロープがかかるとき、前記引揚リングの下端に巻かれた前記ロープの両方端部が前記補助引揚リングに平行に触れさせたり、前記引揚リングの下端に巻かれた前記ロープの両方端部が前記引揚リングと前記補助引揚リングとの間で交差した後、前記補助引揚リングに触れさせることができる。
【発明の効果】
【００１６】
本発明によると、シャックル胴体に引揚リングとは別途に補助引揚リングを付加形成して強度の補強とともに引揚リングの両端部が内側方向に変形されることを防止し、引揚リングと補助引揚リングにロープなどを連結するとき、多数の地点に接した状態で連結するので、シャックルの揺れを最小化し、弾性力またはボルトなどを介してシャックルピンの緩みを防止し、シャックル胴体の両端部のうちシャックルピンの先端が先に挿入される側の端部が拡張形成されて補強による引張強度の向上が可能な効果がある。
【図面の簡単な説明】
【００１７】
【図１】従来技術による結合および分解が容易なシャックルの斜視図
【図２】本発明の第１実施例に係るシャックルを示した分解斜視図
【図３】本発明の第１実施例に係るシャックルを示した正面図
【図４】本発明の第１実施例に係るシャックルで引揚リングにロープがかかった状態を示した斜視図
【図５】本発明の第１実施例に係るシャックルで引揚リングと補助引揚リングにロープがかかった状態を示した斜視図
【図６】本発明の第２実施例に係るシャックルに備えられた弾性体の変形前後の状態を示した正面図
【図７】本発明の第２実施例に係るシャックルに備えられた弾性体の変形前後の状態を示す正面図
【図８】本発明の第３実施例に係るシャックルに緩み止め部材が備えられた状態を示した分解斜視図および拡大図
【図９】本発明の第３実施例に係るシャックルに緩み止め部材が備えられた状態を示した分解斜視図および拡大図
【図１０】本発明の第３実施例に係るシャックルに補助緩み止め部材に付加された状態を部分拡大して示した断面図
【発明を実施するための形態】
【００１８】
以下、本発明の属する技術分野において通常の知識を持つ者が容易に実施できるように、本発明の実施例に対して添付した図面を参照して詳細に説明する。しかし、本発明は、異なる形態で施されることがあり、ここで説明する実施例に限定されない。明細書全体を通じて類似した部分に対しては同一の符号を付けた。
【００１９】
以下、本発明の構成を添付された図面を参照して説明すると、図２は本発明の第１実施例に係るシャックルを示す分解斜視図であり、図３は本発明の第１実施例に係るシャックルを示した正面図であり、図４は本発明の第１実施例に係るシャックルで引揚リングにロープがかかった状態を示す斜視図であり、図５は本発明の第１実施例に係るシャックルで引揚リングと補助引揚リングにロープがかかった状態を示す斜視図である。
【００２０】
これらの図によれば、本発明の第１実施例に係るシャックル１００は、シャックル胴体１１０およびシャックルピン１５０を含み、クレーンのフックと被引揚体とを相互連結する機能をする。
【００２１】
シャックル胴体１１０は鋳物を介して成形され、被引揚体が連結される下端が開放されて形成された両端部（１３０、１４０）に後述するシャックルピン１５０が締結されるように、同一の水平線上に孔（１３２、１４２）がそれぞれ貫通形成され、クレーンのフックが連結される上端が閉鎖されながら引揚リング１２０を形成し、前記引揚リング１２０上に付加形成される補助引揚リング１２２を含む。
【００２２】
補助引揚リング１２２は、引揚リング１２０の上面に前記引揚リング１２０の円弧半径よりも小さい半径の円弧状に付加形成されて強度の補強とともに、前記引揚リング１２０に荷重が集中されるのを分散させることができる。
【００２３】
一方、引揚リング１２０に、一例としてロープＲがかかって引揚げる場合、前記引揚リング１２０の両方頂点部位と補助引揚リング１２２の両方頂点部位に両端が平行な前記ロープＲの内面がそれぞれ触れた状態であるので、前記引揚リング１２０と前記補助引揚リング１２２の多数の地点で支持してシャックル１００の揺れを防止する。（図４を参照）
【００２４】
また、 引揚リング１２０と補助引揚リング１２２に、一例としてロープＲが「８」字状のツイスト状態で二重にかかって引揚げる場合、前記引揚リング１２０と前記補助引揚リング１２２との間で、前記ロープＲが一回交差した状態で前記引揚リング１２０の両方頂点部位と補助引揚リング１２２の両方頂点部位に前記ロープＲの内面がそれぞれ触れた状態であるので、前記引揚リング１２０と前記補助引揚リング１２２の多数の地点で支持してシャックル１００の揺れを防止する。（図５を参照）
【００２５】
特に、前記補助引揚リング１２２には、低重量の被引揚体を引揚させ、引揚リング１２０には高重量の被引揚体を介して引揚させながら被引揚体の重量に応じて選択的に使用することができる。
【００２６】
このとき、両端部（１３０、１４０）は、被引揚体に連結される連結リングまたはロープなどをシャックル胴体１１０の内部に進入させることができるように下端を開放させる。
【００２７】
また、シャックル胴体１１０の両端部（１３０、１４０）のうち一側端部１３０に形成された孔１３２の内周面には、シャックルピン１５０の後端に形成された螺旋突起１５６が螺旋締結されるように螺旋溝１３４が形成され、他側端部１４０に形成された孔１４２の内周面にはシャックルピン１５０の先端に形成された螺旋突起１５８が螺旋締結されるように螺旋溝１４４が形成される。
【００２８】
さらに、前記シャックル胴体１１０の両端部（１３０、１４０）のうちシャックルピン１５０の先端が先に挿入される一側端部１３０は、正面と側面から見たとき、下部に行くほど他側端部１４０に比べて断面積が大きくなるように拡張形成される。すなわち、前記シャックル胴体１１０の一側端部１３０は、前記シャックル胴体１１０を正面から見たとき、厚さ（Ｔ１）が他側端部１４０の厚さ（Ｔ２）よりも厚く形成される。
【００２９】
これは、シャックル胴体１１０の両端部（１３０、１４０）のうち一側端部１３０にシャックルピン１５０の後端が位置されるが、この場合、前記シャックルピン１５０の後端に形成された取っ手１５４などの重さにより荷重が集中されるので、これを改善するために、前記一側端部１３０の厚さを厚くして補強するものである。
【００３０】
シャックルピン１５０は、鋳造で成形された状態で機械加工により螺旋突起（１５６、１５８）などを形成し、シャックル胴体１１０の両端部（１３０、１４０）に形成された孔（１３２、１４２）に締結されて引揚られる被引揚体の引揚リングまたは被引揚体と連結されるワイヤなどが結束されるようにする構成で、胴体１５２、取っ手１５４および螺旋突起（１５６、１５８）を含む。
胴体１５２は、機械加工によって前後螺旋突起（１５６、１５８）の外径よりも小さい外径を有するように形成される。
【００３１】
取っ手１５４は、後方螺旋突起１５８と隣接して延びながら一側端部１３０の外側に露出されるように形成され、両端部（１３０、１４０）の孔（１３２、１４２）に形成された螺旋溝（１３４、１４４）にシャックルピン１５０を締結させるとき、作業者が手で把持することができるようにする。
【００３２】
螺旋突起（１５６、１５８）は、一側螺旋突起１５６が一側端部１３０の孔１３２に形成された螺旋溝１３４に螺旋締結されるように取っ手１５４側である胴体１５２の後方に形成され、他側螺旋突起１５８が他側端部１４０の孔１４２に形成された螺旋溝１４４に螺旋締結されるように前記胴体１５２の前方に形成される。
【００３３】
このとき、前記螺旋突起（１５６、１５８）は、同一の外径で形成されることを例示したが、一側螺旋突起１５６が他側螺旋突起１５８よりも外径が小さく形成されてシャックル胴体１１０の両端部（１３０、１４０）に形成された孔（１３２、１４２）にシャックルピン１５０を締結するとき、前記他側螺旋突起１５８が前記シャックル胴体１１０の一側端部１３０の孔１３２に形成された螺旋溝１３４に締結されず、貫通させて締結による時間を減らすことができる。
【００３４】
よって、本発明の第1の実施例に係るシャックル１００は、シャックル胴体１１０に形成された引揚リング１２０の上面に補助引揚リング１２２が付加形成されて、強度の補強とともに前記引揚リング１２０の両端部が内側方向に変形されることを防止し、前記引揚リング１２０と補助引揚リング１２２の多数の地点にロープＲが接した状態で連結するので、シャックル１００の前後揺れを最小化する。
【００３５】
さらに、被引揚体の重量により引揚リング１２０または補助引揚リング１２２を選択的に使用することができる。一例として、前記引揚リング１２０には、低重量の被引揚体を介して引揚させ、前記補助引揚リング１２２には低重量の被引揚体を引揚させながら、前記引揚リング１２０には高重量の被引揚体を介して引揚げる場合にも、前記補助引揚リング１２２による強度の補強とともに引揚リングに荷重が集中されるのを分散させることができる。
【００３６】
また、シャックル胴体１１０の両端部（１３０、１４０）に形成された孔（１３２、１４２）にシャックルピン１５０を締結するとき、重さが偏る前記シャックルピン１５０の取っ手１５４側の一側端部１３０の厚さを厚くして補強するので、前記取っ手１５４などの重さにより荷重が集中される現象を防止することができる。
図６および図７は、本発明の第２実施例に係るシャックルに備えられた弾性体の変形前後の状態を示す正面図である。
【００３７】
これらの図によれば、本発明の第２実施例に係るシャックル２００は、シャックル胴体２１０、シャックルピン２５０および弾性体２６０を含み、前記シャックル胴体２１０およびシャックルピン２５０は、前述した実施例のそれと同一の構造と機能をするので、詳細な説明は省略する。
【００３８】
弾性体２６０は、シャックルピン２５０の外周面に挿入された状態で、シャックル胴体２１０の両端部（１３０、１４０）に形成された孔（２３２、２４２）に締結されるとき、先端はシャックル胴体２１０の一側端部１３０に形成された孔２３２に支持され、後端はシャックルピン２５０のフランジ２５６ａの内面に支持され先端が圧縮されながら前記シャックルピン２５０が、前記孔（２３２、２４２）で緩む現象を防止する。
【００３９】
すなわち、前記弾性体２６０は、シャックルピン２５０の螺旋突起（２５６、２５８）がシャックル胴体２１０の両端部（１３０、１４０）に形成された孔（２３２、２４２）内の螺旋溝（２３４、２４４）に締結されるとき、前記シャックルピン２５０にシャックルピン２５０の挿入反対方向に弾性力を発生させて前記シャックルピン２５０の緩みを防止する。
【００４０】
このとき、前記弾性体２６０は、図６に基づいてシャックルピン２５０の螺旋突起（２５６、２５８）のうち左側面がシャックル胴体２１０の両端部（１３０、１４０）に形成された孔（２３２、２４２）内の螺旋溝（２３４、２４４）のうち右側面に密着された状態で密着面を弾性力により相互押圧させるので、前記シャックルピン２５０の緩みを防止する。
ここで、説明されていない符号２５２は胴体であり、２５４は取っ手、２５６、２５８は螺旋突起である。
【００４１】
図８および図９は、本発明の第３実施例に係るシャックルに緩み止め部材が備えられた状態を示した分解斜視図および拡大図であり、図１０は、本発明の第３実施例に係るシャックルに補助緩み止め部材に付加された状態を部分拡大して示した断面図である。
【００４２】
これらの図によれば、本発明の第３実施例に係るシャックル３００は、シャックル胴体３１０、シャックルピン３５０および緩み止め部材３６０を含み、前記緩み止め部材３６０を介して前記シャックルピン３５０が、前記シャックル胴体３１０から緩まないようにするのが特徴である。
【００４３】
このため、前記シャックル胴体３１０に形成された一側端部３３０の外壁に溝３３６を形成し、前記溝３３６と対応するシャックルピン３５０のフランジ３５６ａ上に上に螺旋孔Ｈを形成した後、緩み止め部材３６０を前記螺旋孔Ｈに締結させて、先に締結された先端が前記溝３３６に位置するようにして前記シャックルピン３５０の緩みを防止する。
このとき、緩み止め部材３６０は、ボルトの頭部がない無頭ボルトなどがこれに適用される。
【００４４】
一方、前記溝３３６は、シャックルピン３５０が時計回りに回転されながら線突起３５６がシャックル胴体３１０の一側端部３３０に形成された孔３３２の螺旋溝３３４に締結される過程で、緩み止め部材３６０を締結する前に、前記緩み止め部材３６０の先端が通過したり、緩みが容易なように時計回りに基づいて先端が後端よりも低く形成された高さの差ａを示し、先端と後端の隅に面取り（ｃｈａｍｆｅｒ）加工される。
【００４５】
さらに、シャックル胴体３１０のうち一側端部３３０の外壁に形成された溝３３６は、シャックル胴体３１０の一側端部３３０に形成された孔３３２を起点として両端に形成されるものと例示したが、一端にのみ形成されることができ、シャックルピン３５０がシャックル胴体３１０に締結されるとき螺旋締結終了地点が一致することを勘案して形成されるようにする。
【００４６】
ここで、緩み止め部材３６０がシャックル胴体３１０に形成された一側端部３３０の外壁に溝３３６内部に位置されてシャックルピン３５０の緩みを防止するものと例示したが、これに限らず前記緩み止め部材３６０の前方に位置された補助緩み止め部材３６２が前記シャックル胴体３１０に形成された一側端部３３０の外壁に溝３３６の内部に位置された状態で、シャックルピン３５０の緩みを防止することができる。
【００４７】
すなわち、前記補助緩み止め部材３６２は、図１０に基づいて上端はフランジ３５６ａの螺旋孔Ｈに沿って昇降可能な円板状に形成されながら、円板底面に底面が半球状に形成された円柱状の作動ピン（ｐｉｎ）である。
【００４８】
また補助緩み止め部材３６２の円板底面とフランジ３５６ａの螺旋溝Ｈの底面に弾性部材３６４が介入されて緩み止め部材３６０を緩めれば、前記補助緩み止め部材３６２が前記弾性部材３６４の弾性力により上昇する。
【００４９】
ここで、説明されていない符号３４０は他側端部であり、３４２は孔、３３４、３４４は螺旋溝、３５２は胴体、３５４は取っ手、３４５、３５８は螺旋突起である。
【００５０】
以上のように、本発明は、たとえ限定された実施例と図面によって説明されたが、本発明は、上記の実施例に限定されるものではなく、本発明の属する分野において通常の知識を有する者であれば、これらの記載から様々な修正および変形が可能である。
【００５１】
よって、本発明の範囲は、説明された実施例に限定されて定められてはならず、後述する特許請求の範囲だけでなく、この特許請求の範囲と均等なものにより定められる。
【図１】
2019509233.tif 000003
【図２】
2019509233.tif 000004
【図３】
2019509233.tif 000005
【図４】
2019509233.tif 000006
【図５】
2019509233.tif 000007
【図６】
2019509233.tif 000008
【図７】
2019509233.tif 000009
【図８】
2019509233.tif 000010
【図９】
2019509233.tif 000011
【図１０】
2019509233.tif 000012
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
一側が開放されて形成された両端部に孔がそれぞれ貫通形成され、他側が閉鎖され、外部方向に凸の丸い円弧状に形成されている引揚リングと、
前記引揚リングの上部の凸の二地点から延びて形成された丸い円弧状に形成されて前記引揚リングの凸の部分をその内部に含む補助引揚リング部を備えたシャックル胴体と、
前記引揚リングの両端部に形成された孔に順次貫通しながら前記引揚リングと螺旋締結されるシャックルピンを含み、
前記引揚リングの一端部の外壁には所定の溝が形成されており、
前記シャックルピンの一端には前記引揚リングの溝に対応する位置に孔が形成されているフランジがさらに備えられており、
前記引揚リングの溝と前記シャックルピンのフランジ上の孔に締結されて前記シャックルピンの回転を防止する緩み止め部材をさらに含み、
前記緩み止め部材により前記引揚リングの溝に挿入される補助緩み止め部材および前記緩み止め部材が外部方向に引き出される場合、前記補助緩み止め部材を前記引揚リングの溝から離脱させる弾性部材をさらに含む
ことを特徴とするシャックル。
【国際調査報告】
2019509233.tif 000013
2019509233.tif 000014
2019509233.tif 000015
2019509233.tif 000016